(57)【要約】本発明は、公然とアクセス可能な装置によって公衆に情報を提供するシステムおよび方法に関する。ビデオ表示装置のネットワークは、公共輸送の車両や公共輸送の駅といった公然とアクセス可能な場所に配置される。これらのビデオ表示装置に与えられるビデオフィードは、ネトワークハブからビデオフィードを受け取るビデオ配信ハブによって提供される。異なるオーディオフィードは、電話によってエンドユーザにアクセス可能とされる。エンドユーザは、オーディオ配信ハブからオーディオフィードを受け取り、且つ、配信する電話インターフェースを呼び出すことができる。エンドユーザは、エンドユーザに完全なオーディオビジュアル体験を提供するビデオフィードに同期したオーディオフィードにアクセスし得る。より一層有益な内容として、如何なる場所で表示されるビデオも、ビデオ表示装置が配置された地域に関連して調整される。これらの異なるビデオフィードの１つに同期したオーディオ内容は、電話インターフェースを介した異なるオプションをダイヤルすることによって、そのエンドユーザにアクセスされ得る。ラジオ局やテーマオーディオフィードといった特定のビデオフィードに束縛されないオーディオフィードは、電話インターフェースを介してアクセスされるかも知れない。
2006524934.tif 000002
【特許請求の範囲】
【請求項１】
情報を公衆へ配信するシステムであって、前記情報は、少なくとも１つのビデオフィードおよび複数のオーディオフィードを備え、前記システムは、
ソースから前記情報を受け取るネットワークハブと、
複数の公然と見ることのできるビデオ表示スクリーンと、
前記ネットワークハブからの１つのビデオフィードを受け取り、該１つのビデオフィードを前記ビデオ表示スクリーンの少なくとも１つに与える少なくとも１つのビデオ配信ハブと、
前記ネットワークハブからの前記複数のオーディオフィードを受け取り、該各オーディオフィードをエンドユーザにアクセス可能とする少なくとも１つのオーディオ配信ハブと、
前記複数のオーディオフィードをアクセスするためのエンドユーザの電話を受け取り、前記少なくとも１つのオーディオ配信ハブと通信し、該少なくとも１つのオーディオ配信ハブからエンドユーザの入力に基づいて前記エンドユーザの電話に自動的にオーディオフィードを届ける電話インターフェースと、を備え、
前記少なくとも１つのオーディオフィードは、前記少なくとも１つのビデオフィードに同期していることを特徴とするシステム。
【請求項２】
請求項１に記載のシステムにおいて、前記ネットワークハブは、前記情報を、分割されたビデオおよびオーディオフィードとして受け取ることを特徴とするシステム。
【請求項３】
請求項１に記載のシステムにおいて、前記ネットワークハブによって受け取られる少なくとも１つのオーディオフィードは、テーマオーディオフィードであることを特徴とするシステム。
【請求項４】
請求項１に記載のシステムにおいて、前記複数の公然と見ることのできるビデオ表示スクリーンの少なくとも１つは、無線手段によって前記ビデオ配信ハブからのビデオフィードを受け取ることを特徴とするシステム。
【請求項５】
請求項１に記載のシステムにおいて、前記複数の公然と見ることのできるビデオ表示スクリーンの少なくとも１つは、閉回路ネットワークを介して前記ビデオ配信ハブからのビデオフィードを受け取ることを特徴とするシステム。
【請求項６】
請求項４に記載のシステムにおいて、前記複数の公然と見ることのできるビデオ表示スクリーンの少なくとも１つは、車両の外側に配置されることを特徴とするシステム。
【請求項７】
請求項４に記載のシステムにおいて、前記複数の公然と見ることのできるビデオ表示スクリーンの少なくとも１つは、車両の内側に配置されることを特徴とするシステム。
【請求項８】
請求項１に記載のシステムにおいて、前記ネットワークハブは、各々のビデオフィードが異なる地理的な地域に位置する前記ビデオ表示スクリーンに送信される複合ビデオフィードを受け取ることを特徴とするシステム。
【請求項９】
請求項１に記載のシステムにおいて、前記少なくとも１つのビデオフィードは、クローズドキャプションを伴って提供されることを特徴とするシステム。
【請求項１０】
請求項１に記載のシステムにおいて、前記少なくとも１つのビデオフィードは、広告を伴って提供されることを特徴とするシステム。
【請求項１１】
エンドユーザに対して少なくとも１つのオーディオフィードを提供するシステムであって、
少なくとも１つのオーディオフィードを受け取るネットワークハブと、
該ネットワークハブから前記少なくとも１つのオーディオフィードを受け取る少なくとも１つのオーディオ配信ハブと、
前記エンドユーザの電話を受け取り、前記少なくとも１つのオーディオ配信ハブと通信し、該少なくとも１つのオーディオ配信ハブから前記エンドユーザの入力に基づいた電話に自動的に前記少なくとも１つのオーディオフィードを届ける電話インターフェースと、を備えることを特徴とするシステム。
【請求項１２】
請求項１１に記載のシステムにおいて、前記複数のオーディオフィードは、前記ネットワークハブによって受け取られ、該複数のオーディオフィードの少なくとも１つは、ビデオフィードに同期していることを特徴とするシステム。
【請求項１３】
請求項１２に記載のシステムにおいて、前記ビデオフィードは、公然と見ることができることを特徴とするシステム。
【請求項１４】
請求項１２に記載のシステムにおいて、前記電話インターフェースは、前記ビデオフィードを介してエンドユーザに販売するために提供される商品またはサービスに関する該エンドユーザの入力を受け取ることを特徴とするシステム。
【請求項１５】
請求項１に記載のシステムにおいて、前記電話インターフェースは、前記少なくとも１つのビデオフィードを介してエンドユーザに販売するために提供される商品またはサービスに関するエンドユーザの入力を受け取ることを特徴とするシステム。
【請求項１６】
請求項１４に記載のシステムにおいて、前記エンドユーザの入力は、前記商品またはサービスを注文するために前記ビデオフィードに示された特定のコードを備えることを特徴とするシステム。
【請求項１７】
請求項１５に記載のシステムにおいて、前記エンドユーザの入力は、前記商品またはサービスを注文するために前記ビデオフィードに示された特定のコードを備えることを特徴とするシステム。
【発明の詳細な説明】
【技術分野】
【０００１】
本発明は、情報配布システムに関し、限定されるものではないが、特に、公然とアクセス可能な地域の一般の公衆へ情報を配信するシステムおよび方法に関する。
【背景技術】
【０００２】
通信革命は、公衆に利用可能なデータ量の増大をもたらす。公衆の止めどない情報への熱望は、過度の情報によってより一層強められている。
【発明の開示】
【発明が解決しようとする課題】
【０００３】
情報を配布する現行のシステムは、特に、料金を支払う一般大衆の会員に対して情報を配布する現行のシステムは、不十分なものである。これらのシステムは、単なる視覚による静的なものである。サンドイッチマンの広告板（サンドイッチボード）や広告掲示板（ビルボード）、並びに、他の広告を行う非常に古い静的な方式は、それなりに利用されている。しかしながら、上述したように、これらのシステムは、不十分なものである。そのような静的な方式は、純粋に視覚的なものであり、移り変わる条件に応じて容易に変化され得るものではない。不幸にも、テレビやコンピュータの遍在は、一般大衆の注目範囲に有害な影響を与えることになる。このような現行の静的なシステムは、人々の注意を引き留めておくことはできない。
【０００４】
他の現行システムの大きな欠点は、オーディオ成分の欠如にある。また、マルチメディア装置の激増および今日の社会におけるマルチメディアの遍在は、それらの情報入力の殆どの発表形式と同じ大衆の要求を有している。（公然とアクセス可能なテレビジョンセットのような）オーディオ部分を統合した幾つかの情報配布システムは存在するが、これらは、そのシステムの利益の享受を望まない人の邪魔になり、また、迷惑になる。
【０００５】
そのために、配布されている情報をアクセスすることを望まない人に迷惑をかけることなく、ビデオおよびオーディオ成分を統合した情報の配布システムに対する要求が存在する。そのような情報の配布システムは、情報の内容の変更を比較的簡単に行い、また、動的に行わなければならない。さらに、そのシステムは、エンドユーザ（すなわち、特に、公共の輸送車両で旅行するような公衆）の注意を引き付けることができ、また、彼らの注意を維持し続けなければならない。最後に、もし、そのようなシステムは費用効果（cost effective）があり、且つ、財政的に持続するならば、そのシステムはとても望ましいものであろう。
【課題を解決するための手段】
【０００６】
本発明は、公然とアクセス可能な装置によって公衆に情報を提供するシステムおよび方法に関する。ビデオ表示装置のネットワークは、公共輸送の車両や公共輸送の駅といった公然とアクセス可能な場所に配置される。これらのビデオ表示装置に与えられるビデオフィードは、ネトワークハブからビデオフィードを受け取るビデオ配信ハブによって提供される。異なるオーディオフィードは、電話によってエンドユーザにアクセス可能とされる。エンドユーザは、オーディオ配信ハブからオーディオフィードを受け取り、且つ、配信する電話インターフェースを呼び出すことができる。エンドユーザは、エンドユーザに完全なオーディオビジュアル体験を提供するビデオフィードに同期したオーディオフィードにアクセスし得る。より一層有益な内容として、如何なる場所で表示されるビデオも、ビデオ表示装置が配置された地域に関連して調整される。これらの異なるビデオフィードの１つに同期したオーディオ内容は、電話インターフェースを介した異なるオプションをダイヤルすることによって、そのエンドユーザにアクセスされ得る。ラジオ局やテーマオーディオフィードといった特定のビデオフィードに束縛されないオーディオフィードは、電話インターフェースを介してアクセスされるかも知れない。
【０００７】
第１の形態において、本発明は、情報を公衆へ配信するシステムであって、前記情報は、少なくとも１つのビデオフィードおよび複数のオーディオフィードを備え、前記システムは、ソースから前記情報を受け取るネットワークハブと、複数の公然と見ることのできるビデオ表示スクリーンと、前記ネットワークハブからの１つのビデオフィードを受け取り、該１つのビデオフィードを前記ビデオ表示スクリーンの少なくとも１つに与える少なくとも１つのビデオ配信ハブと、前記ネットワークハブからの前記複数のオーディオフィードを受け取り、該各オーディオフィードをエンドユーザにアクセス可能とする少なくとも１つのオーディオ配信ハブと、前記複数のオーディオフィードをアクセスするためのエンドユーザの電話を受け取り、前記少なくとも１つの１つのオーディオ配信ハブと通信し、該少なくとも１つのオーディオ配信ハブからエンドユーザの入力に基づいて前記エンドユーザの電話に自動的にオーディオフィードを届ける電話インターフェースと、を備え、前記少なくとも１つのオーディオフィードは、前記少なくとも１つのビデオフィードに同期していることを特徴とするシステムを提供する。
【０００８】
第２の形態において、本発明は、エンドユーザに対して少なくとも１つのオーディオフィードを提供するシステムであって、少なくとも１つのオーディオフィードを受け取るネットワークハブと、該ネットワークハブから前記少なくとも１つのオーディオフィードを受け取る少なくとも１つのオーディオ配信ハブと、前記エンドユーザの電話を受け取り、前記少なくとも１つのオーディオ配信ハブと通信し、該少なくとも１つのオーディオ配信ハブから前記エンドユーザの入力に基づいた電話に自動的に前記少なくとも１つのオーディオフィードを届ける電話インターフェースと、を備えることを特徴とするシステムを提供する。
【発明を実施するための最良の形態】
【０００９】
本発明のよりよい理解は、次の図面を参照した以下の詳細な記述を考慮するによって得られるであろう。
【実施例】
【００１０】
図１を参照すると、情報配信システムのブロック図が示されている。（なお、図１は、図１−１（シート１／２）および図１−２（シート２／２）により構成される。）システム１０は、ネットワークハブ２０、マルチビデオ配信ハブ３０Ａ〜３０Ｅ、オーディオ配信ハブ４０Ａおよび４０Ｂ、並びに、少なくとも１つの電話インターフェース５０を有している。ネットワークハブは、様々なソースからの多様なオーディオフィード６０、ビデオフィード７０およびハブ端末で結合されたオーディオ／ビデオフィード８０を受け取る。これらのフィードは、専用のオーディオだけのフィードおよび専用のビデオだけのフィードに分割される。専用のオーディオだけのフィードは、オーディオ配信ハブ４０Ａおよび４０Ｂに送られ、また、専用のビデオだけのフィードは、ビデオ配信ハブ３０Ａ〜３０Ｅに送られる。ビデオ配信ハブでは、関連するビデオだけのフィードが送信機１００Ａ〜１００Ｅによって多数のビデオ表示スクリーン９０Ａ〜９０Ｋに転送される。オーディオ側では、電話インターフェース５０が専用のオーディオだけのフィードを受け取り、それを電話インターフェース５０に届ける。電話インターフェース５０は、オーディオフィードの１つにアクセスするのを望むエンドユーザからの電話を受ける。車両電話や携帯電話を使用して電話することが可能なエンドユーザは、入手可能なオーディオフィードの１つを選ぶことができる。エンドユーザの入力に基づいて、インターフェース５０は、関連するオーディオフィードを選択し、そのフィードを関連するユーザに届ける。
【００１１】
ネットワークハブ２０は、オーディオ／ビデオフィード集合体と見做すことができ、それは、様々なソースからのフィードを受け取り、それらのフィードを専用のオーディオフィードおよび専用のビデオフィードの２つの信号に集約および結合する。そこからフィードが始まるソースは、インターネットから手に入るフィード、ケーブルテレビプロバイダ、広域放送テレビ、広域放送ラジオ、特に、システムのために創作された専用のビデオまたはオーディオ信号、或いは、他のソースで構成される。ネットワークハブ２０は、フィードを内容によって分割する。すなわち、ビデオフィードは、良く知られた方法および技術を使用してオーディオフィードから分割して届けられる。ビデオフィードは、異なるパートや異なる第１の単一信号の周波数を占有する異なるビデオフィードを伴う第１の単一信号に統合される。オーディオフィードは、異なるパートや異なる第２の単一信号の周波数を占有する異なるビデオフィードを伴う第２の単一信号に統合される。そして、ビデオフィード信号（第１の単一信号）は、ビデオ配信ハブ３０Ａ〜３０Ｅに転送される。オーディオフィード信号（第２の単一信号）は、オーディオ配信ハブ４０Ａおよび４０Ｂに転送される。
【００１２】
ビデオ配信ハブ３０Ａ〜３０Ｅについて、各々のビデオ配信ハブは、ビデオフィードの１つをネットワークハブ２０からのビデオフィード信号に統合したり遮断したりといった『調整』を行うことができる。配信ハブが調整するビデオフィードは、対応する送信機に通される。送信機は、ビデオフィードを多数のビデオ表示スクリーンに転送する。各々のビデオ配信ハブ３０Ａ〜３０Ｅは、特定のビデオフィードをビデオフィード信号に調整するビデオチューナであり得る。そのようなチューナは、従来から良く知られている。
【００１３】
実施に当たって、送信機１００Ａ〜１００Ｅは、無線，有線，または，光学的な送信機であろう。送信機１００Ａ〜１００Ｅは、遮断されまたは調整されたビデオフィードを異なるビデオ表示スクリーンに転送する。各ビデオ転送ハブおよび送信機の組み合わせは、特定の地理的な場所に配置されたビデオ表示スクリーンに情報を提供する。従って、或る地理的な場所は、ビデオ転送ハブ３０Ａによって調整されたビデオフィードＡを表示する表示スクリーン９０Ａ，９０Ｂおよび９０Ｃを有し、また、他の地理的な場所は、ビデオ転送ハブ３０Ｄによって調整されたビデオフィードＢを示す表示スクリーン９０Ｇおよび９０Ｈを有する。そのような構成は、ビデオフィードが適切な地域に配信される地域または領域主体のビデオフィードを許容する。さらに、そのような構成は、特定の領域においてビデオ表示スクリーンに表示されている内容を即座に変更するシステムも許容する。例えば、もし、重要な緊急警報がビデオＱにおいて生じたとき、全てのビデオ配信ハブ３０Ａ〜３０Ｅが自動的にビデオＱに切り換えることにより、ビデオ転送ハブ３０Ａ〜３０Ｅにより情報を受けているビデオ表示スクリーンに緊急警報の迅速な告示を確実なものとする。同様に、もし、特定の地理的な地域に送られるビデオフィードが変更されるとき、その特定の地理的な地域に情報を提供する転送ハブだけがその変更をさせるのを必要とする。その転送ハブは、異なるビデオフィードに調整することが必要とされるであろう。
【００１４】
ここで、表示スクリーン上に表示されるビデオフィードの内容を確実に公衆に見せるためには、各ビデオフィードは、クローズドキャプションを伴って提供されなければならない。これにより、視聴者は、ビデオフィードの音声の字幕を読むことができる。さらに、広告および他の関連するデータは、ビデオフィードの各々に挿入される。これは、ビデオフィードのビジュアル表現を分割することによって異なる領域で行われ、各領域には、異なるデータが提供される。一例として、図２はビジュアル表現の或る可能な構成を示している。領域２００は、提供される（ニュース放送、大詰めのコメディー、メロドラマ番組といった）現実のムービングビデオを有する。領域２１０は、その都市の天気予報を提供し、領域２２０は株式市場報告を提供し、そして、領域２３０はスポーツ成績を提供する。領域２４０は、領域２００におけるビデオ用のクローズドキャプションを留保し、そして、領域２５０は、エンドユーザをターゲットとする広告を提供する。上述したように、上映（領域２００において上映）するビデオ部分は、領域によって異なるかも知れない。同様に、異なる広告は、異なる地理的な地域によって異なるかも知れない。理想的には、表示スクリーンの３／４は、広告のスペースに向けられる。スクリーンの高い割合を、宣伝を行う収入源に向けることは、システムを運用するのに十分な収入を作り出すことになる。
【００１５】
図３を参照すると、ビジュアル表現の別の構成が示されている。図示されるように。スクリーンの主領域は、複数の領域２００Ａ，２００Ｂ，２００Ｃおよび２００Ｄに分割される。各領域は、異なるビデオフィードに向けられ、そして、エンドユーザは、見たいプログラムの選択を行うことになる。各ビデオフィードは、以下に説明するようなエンドユーザによってアクセスされるそれ自身のオーディオフィード有している。
【００１６】
ビデオ表示スクリーン９０Ａ〜９０Ｋに関して、これらの表示スクリーンは、理想的には公然と見ることができる場所に配置される。これらは、地下鉄車両およびバスのような輸送車両内に配置され、また、地下鉄／バスの停留所，バス通りのコーナーおよび他の大衆が集まる領域の静的な設備として配置されるであろう。プラズマ表示装置は、表示スクリーンとして使用され、一実施例において、そのようなスクリーンは、強化されそして屋外配置に耐えるように構成さる。そのような配置は、バスのような移動する車両の外側に設けられ、それによって、情報を、車両内の通勤者だけでなく、車両外の通勤者に対しても同様に提供することができる。そのような車両への配置では、無線技術がビデオ表示スクリーンに対するビデオフィードの転送に使用される。静的な配置では、ケーブル，光および他の良く知られている有線の技術が、ビデオ表示スクリーンに対するビデオフィードの転送に使用される。公共輸送車両の内側のような他の静的な配置は、配置のコストを最小にするために平面型のコンピュータモニタを使用してもよい。
【００１７】
図３に示されるような１つのスクリーン上に複数のプログラムを表示することによるユーザの困惑を避けるために、輸送駅（例えば、電車の駅，バスの停留所および地下鉄の駅）並びに輸送車両の内側における静的な配置は、特定のネットワークビデオフィードに向けられた特定のスクリーンを有する多数表示スクリーンを使用するかも知れない。例えば、１台の地下鉄車両は、特定のニュースチャネル（例えば、ＣＮＮ）のビデオフィードを表示するために割り当てられた３つのスクリーン、特定の他の放送ネットワーク（例えば、ＮＢＣ）を表示するために割り当てられた３つのスクリーン、および、若者向けのチャネル（例えば、ＭＴＶ）を表示するために配置された残りを伴う１０のスクリーンを有する。プログラムの形式を特定するために配置された幾つかのスクリーンの分割は、１日の時間帯で可能な視聴者に向けてシステムオペレータによって内容が規定される。例えば、学生が視聴者である場合には、より多くのスクリーンが若者向けのプログラムに向けられるであろう。
【００１８】
配置のコストをより一層低減するために、表示スクリーンの製造業者は、表示スクリーンの配置およびシステムの運用に関する優遇した価格を提供するであろう。そのような判断は、製造業者に自分の製品を無料で陳列するという無料の広告を提供する。
【００１９】
システム１０のオーディオ部分は、エンドユーザがどのオーディオフィードをアクセスするか選択できる点を除いて同じ手法で動作する。上述したように、オーディオフィード信号は、オーディオ配信ハブ４０Ａ，４０Ｂによって受け取られる。異なるオーディオフィードは、調整または遮断によってオーディオフィード信号の残りから関連するオーディオフィードにアクセスする。すなわち、電話インターフェース５０は、エンドユーザの電話を自動的に受け取り、且つ、その関連するエンドユーザの電話に関連するオーディオフィードを自動的に配信するといったことを行う。電話インターフェースは、各チューナがオーディオフィード信号におけるオーディオフィードの１つを遮断または調整する複数のチューナを有している。電話するエンドユーザの要求に応じて、関連するオーディオフィードがそのエンドユーザに向けられて配信される。
【００２０】
電話インターフェース５０は、エンドユーザのアクセスポイントとして動作する。エンドユーザは、（多分、ビデオ表示スクリーンに表示される関連する電話番号による）電話インターフェースに電話をして特定のオーディオフィードにアクセスする。ビデオ表示スクリーン上に表示される内容に結合した完全なオーディオビジュアル体験を表すために、オーディオフィード少なくとも１つは、ビデオ表示スクリーン上の表示と同期され得る。例えば、地理的な地域Ａがスクリーン９０Ａ〜９０Ｃ上にビデオショウＡ１を表示しており、且つ、地理的な地域Ｂがスクリーン９０Ｉ〜９０Ｋ上にビデオショウＡ２を表示しているとき、地域Ａのエンドユーザは、ビデオショウＡ１に同期したオーディオフィードにアクセスする必要があり、また、地域Ｂのエンドユーザは、ビデオショウＡ２に同期したオーディオフィードにアクセスする必要がある。これは、エンドユーザが電話インターフェース５０に電話し、自動応答およびメニューシステムを通過した後、関連するオーディオフィードにアクセスすることによって行われる。この応答およびメニューシステムは、良く知られた技術であり、容易に利用することができる。従って、地域Ａのエンドユーザは、適切なオーディオビジュアル体験を獲得し、地域Ｂのエンドユーザによりアクセスされるのとは異なるオーディオフィードにアクセスする。さらに、他の変形では、特定のビデオショウに同期したオーディオフィードは、分割されたオーディオフィードとして異なる言語で提供され得る。例えば、スクリーン９０Ａ〜９０Ｃ上に表示されるビデオショウＡ１は、英語の１つのオーディオフィード、フランス語の他のオーディオフィード、および中国語の第３のオーディオフィードの異なる３つのオーディオフィードに同期され得る。そのように、エンドユーザは、そのエンドユーザが好む言語の特定のビデオショウに同期したビデオフィードの何れにもアクセスすることができる。従って、或る特定の地理的な地域に提供された１つのビデオフィードは、厳格な同じ言語を話す必要のない人々にアクセスされ得る。同様に、ビデオ表示スクリーン上に提供されるクローズドキャプションは、多数言語で提供されることができ、或いは、もし、特定の地域で或る言語が優勢ならば、クローズドキャプションは、その１つの言語で提供され得る。ビデオフィードに同期されたオーディオフィードを配信するための技術は、一般に利用可能であり、また、フライトエンターテイメントとして提供される旅客飛行機において使用される。適切な電話メニュー技術を伴うそのような技術の適応は、以下に述べる必要な電話インターフェースを産出する。
【００２１】
ここで、オーディオフィードは、ビデオフィードに全て同期する必要がないことに注意されなければならない。音楽，解説，ラジオステーションフィード等を提供するオーディオフィードのような他のオーディオフィードは、実施に伴って利用される。このシステムは、理想的には、セルラーまたは移動電話２６０を伴うコンピュータによってアクセスされるのが適している。通勤者は、朝および午後の通勤時における公共輸送の車両内或いは車両を待つ間の駅にビデオ表示スクリーンを見るかも知れない。これに協調して、通勤者は、彼らの携帯電話を電話インターフェースに繋いで、ビデオ表示スクリーンの領域２００に提供されたプログラムのオーディオ部分を聞くこともできる。別の形態として、通勤者は、ビデオ表示スクリーン上のビデオプログラムは見ないけれども、彼または彼女の携帯電話を介して分割されたオーディオフィードとして提供される他のオーディオプログラムを聞くように決めるかも知れない。しかしながら、システムは、携帯電話を必要とするものに限定されるものではない。理想的には、エンドユーザが職場または家庭で異なる利用可能なオーディオフィードを聞くための電話インターフェースにアクセスする加入者スピーカ電話（landline speaker phone）を有している。人々の異なる形式の異なる趣味を処理するために、全てスポーツ，全てクラッシック音楽，全てニュース或いは全て音楽（音楽の異なる形式に対する異なるオーディオフィード）といったテーマオーディオフィードもまた利用可能であろう。他に、携帯電話を装備したエンドユーザは、ブルートゥース（登録商標）やＷｉ−Ｆｉ（IEEE 802. 11）技術を使用した異なるオーディオフィードを受け取るであろう。
【００２２】
大きな地理的な地域における異なる領域に適応させるために、異なる地域のための異なる電話インターフェースを有する多数の電話インターフェース／オーディオ転送ハブが実施される。
【００２３】
財政的に自立したシステムを可能とするために、広告のスペースは（前に説明したような）ビデオフィードまたはオーディオフィードの何れかの状態で売却される。広告は、表示スクリーン毎を基準として、また、領域範囲を基準として、すなわち、目に見えること（スクリーン上において時間で見ること）を基準として売却される。同様に、有料の手数料は、オーディオフィードをアクセスするのを望むエンドユーザから集められる。或いは、システムは、運営および配置のコストが広告主、および／または、公共輸送の法人によって生み出されることで、携帯電話ユーザに無料で提供されるかも知れない。
【００２４】
上述したシステムは、多数の異なる形式の広告および販売促進キャンペーンに十分に適応性がある。例えば、広告主は、ユーザがオーディオフィードを聞くのに入力する特定の電話コードを宣伝する彼らの広告を含むことができる。コードを入力すると、自動的にエンドユーザをセンターの広告主の電話に繋ぎ、それによって、エンドユーザは、申し出（例えば、低い販売促進キャンペーン価格の休暇旅行）の利益を享受することができる。或いは、エンドユーザは、クレジットカード書類と共に、システムのオペレータを伴って口座を開設するかも知れない。これらエンドユーザは、表示スクリーン上に広告されたものに基づいて電話を介して買い物を行うかも知れない。エンドユーザは、ビデオフィードに示された特定の電話コードを使用する電話キーパッドを介してエンドユーザによって入力され得る色，サイズ、すなわち、商品の形式を選択する。エンドユーザの同一性を確認するために、ＰＩＮ（personal identification numbers：個人識別番号）が各エンドユーザの口座に関連付けられ得る。そのようなＰＩＮ番号は、エンドユーザのクレジットカードに料金が請求される前、および、品物がエンドユーザのファイルアドレスに送り出される前、或いは、エンドユーザがその品物を受け取る前の、処理の認証／終了に要求される。或いは、エンドユーザの銀行口座は、エンドユーザのシステム口座に結びつけられ、エンドユーザの購入の購入価格は、彼／彼女の銀行口座から自動的にデビットとして記入される。もちろん、ＰＩＮ番号の使用、または、この形式確認のための同様の幾つかのスキムは、安全を保証するために要求される。エンドユーザは、異なる支払いの選択肢を有する彼らの携帯電話のスクリーンによっても提供され得る。移動ハンドセット上の専用の支払いボタンが提供され、それによって、このボタンの活性化がエンドユーザの支払い選択肢をもたらすことになる。
【００２５】
システムは、無数の利益を社会および一般大衆に与える。そのシステムは、大衆に警報や緊急を伝えるための公共放送システムの一部として使用される。また、システムは、携帯電話がクローズドキャプション、および／または、何が表されているかを規定する字幕を読むことを必要とすることなく、読み書き能力を向上させることもできる。さらに、システムは、乗客が或る場所から他の場所へ運ばれるだけでなく、楽しませるといった公共輸送車両の大きな利用法を生成する。そのような車両の乗り手における増大は、道路の車両の数を現象させることにもなり、それによって、より一層環境に優しい社会に導くことになる。広告の増加は、大きな消費をもたらし、それによって、システムが配置された地域の経済発展を押し進めることになる。
【００２６】
本発明の様々な説明のための実施例が開示されたが、いわゆる当業者には、本発明の真の範囲を逸脱することなく本発明の利点の幾つかを達成することができる様々な変形および変更が明らかであろう。
【００２７】
本発明を理解する人は、他の構成および実施例、或いは、特許請求の範囲に規定された本発明の範囲内に意図された上記全ての変形に思いつくであろう。
【図面の簡単な説明】
【００２８】
【図１−１】本発明の一形態に係る情報配信システムを示すブロック図である。
【図１−２】本発明の一形態に係る情報配信システムを示すブロック図である。
【図２】図１のシステムを使用したビデオ表示スクリーンを設定する一例を示すブロック図である。
【図３】図１のシステムを使用したビデオ表示スクリーンを設定する他の例を示すブロック図である。
【図１−１】
2006524934.tif 000003
【図１−２】
2006524934.tif 000004
【図２】
2006524934.tif 000005
【図３】
2006524934.tif 000006
【国際調査報告】
2006524934.tif 000007
2006524934.tif 000008
2006524934.tif 000009